(57)【要約】【課題】価格の変動性が高い物品でも、価格情報の正確な収集、蓄積、検索を可能にすることが可能な物品情報管理システムを提供する。【解決手段】販売場所で販売されている物品を購入するユーザーが所持する携帯端末３と、物品の情報を管理するサーバー５とを備え、携帯端末３は、販売されている物品を撮像して撮像画像を取得する撮像部１１と、撮像画像をサーバー５に送信して撮像画像から特定される候補物品の識別情報及び価格統計情報を含む候補物品情報をサーバー５から取得する候補物品情報取得部１９と、取得した候補物品情報を表示して選択を受け付けることにより撮像した物品の識別情報を特定する物品特定部２１と、撮像した物品の販売価格の入力を受け付ける価格入力部２３と、特定された識別情報及び入力された販売価格情報をサーバー５に送信して販売価格情報を識別情報に対応する物品の価格統計情報として蓄積させる物品情報送信部２５とを備える。【選択図】図１
2016224591.tif 000002
【特許請求の範囲】
【請求項１】
物品を購入するユーザーが所持する携帯端末と、
物品の情報を管理するサーバーとを備え、
前記携帯端末は、
前記物品を撮像して撮像画像を取得する撮像部と、
前記撮像画像を前記サーバーに送信して前記撮像画像から特定される候補物品の識別情報及び価格統計情報を含む候補物品情報を前記サーバーから取得する候補物品情報取得部と、
前記取得した候補物品情報を表示して選択を受け付けることにより前記撮像した物品の識別情報を特定する物品特定部と、
前記撮像した物品の販売価格の入力を受け付ける価格入力部と、
前記特定された識別情報及び入力された販売価格情報を前記サーバーに送信して前記販売価格情報を前記識別情報に対応する物品の価格統計情報として蓄積させる物品情報送信部と、
を備える、
ことを特徴とする物品情報管理システム。
【請求項２】
請求項１記載の物品情報管理システムであって、
前記物品は、生鮮品であり、
前記候補物品情報は、前記候補物品の画像情報を含み、
前記携帯端末又はサーバーは、前記撮像画像と前記候補物品の画像情報とから色の近似を判断し前記色の近似レベルに応じて前記撮像した物品の適正価格を推測する適正価格推測部を備え、
前記携帯端末は、前記推測された適正価格を表示する適正価格表示部を備える、
ことを特徴とする物品情報管理システム。
【請求項３】
請求項２記載の物品情報管理システムであって、
前記物品特定部は、前記候補物品の画像情報に並べて前記物品の撮像画像を表示する、
ことを特徴とする物品情報管理システム。
【請求項４】
物品を購入するユーザーが所持する携帯端末と、物品の情報を管理するサーバーとを備えた物品情報管理システムの物品情報管理プログラムであって、
前記携帯端末のコンピューターに、
前記物品を撮像部によって撮像した撮像画像を前記サーバーに送信して前記撮像画像から特定される候補物品の識別情報及び価格統計情報を含む候補物品情報を前記サーバーから取得する候補物品情報取得機能と、
前記取得した候補物品情報を表示して選択を受け付けることにより前記撮像した物品の識別情報を特定する物品特定機能と、
前記撮像した物品の販売価格の入力を受け付ける価格入力機能と、
前記特定された識別情報及び入力された販売価格情報を前記サーバーに送信して前記販売価格情報を前記識別情報に対応する物品の価格統計情報として蓄積させる物品情報送信機能と、
を実現させる、
ことを特徴とする物品情報管理プログラム。
【請求項５】
販売場所で販売されている物品情報を管理する物品情報管理方法であって、
撮像手段により、前記販売されている物品を撮像して撮像画像を取得し、
候補物品情報取得手段により、前記撮像画像をサーバーに送信して前記撮像画像から特定される候補物品の識別情報及び価格統計情報を含む候補物品情報を前記サーバーから取得し、
物品特定手段により、前記取得した候補物品情報を表示して選択を受け付けることにより前記撮像した物品の識別情報を特定し、
価格入力手段により、前記撮像した物品の販売価格の入力を受け付け、
物品情報送信手段により、前記特定された識別情報及び入力された販売価格情報を前記サーバーに送信して前記販売価格情報を前記識別情報に対応する物品の価格統計情報として蓄積させる、
ことを特徴とする物品情報管理方法。
【発明の詳細な説明】
【技術分野】
【０００１】
本発明は、店舗等の販売場所で販売されている物品の情報を蓄積して管理する物品情報管理システム、プログラム、及び方法に関する。
【背景技術】
【０００２】
店舗等で物品を購入する際、ユーザーは、表示価格が妥当か否かを確認したいことがある。この場合、例えば、インターネット等を通じて世間で流通している物品の実売価格や最低価格等の価格情報を検索することができる。
【０００３】
検索に際しては、例えば特許文献１や特許文献２のように、ユーザーの保有するコンテンツとの類似度を検索条件として利用したり、特定の計算式を用いてユーザーの嗜好に適合する結果を得るという技術がある。
【０００４】
しかし、物品が日用品や生鮮品等の場合は、短期間に価格が変動しやすく、価格情報の正確な収集や蓄積が困難であるため、特許文献１や特許文献２のように検索の簡易化等を図っても物品の価格情報の正確な検索は困難であった。
【先行技術文献】
【特許文献】
【０００５】
【特許文献１】特開２０１４−９２９５５号公報
【特許文献２】特開２０１２−５８９４０号公報
【発明の概要】
【発明が解決しようとする課題】
【０００６】
本発明が解決しようとする問題点は、価格の変動性が高い物品の場合に、価格情報の正確な収集、蓄積、検索が困難な点である。
【課題を解決するための手段】
【０００７】
本発明は、物品を購入するユーザーが所持する携帯端末と、物品の情報を管理するサーバーとを備え、前記携帯端末は、前記物品を撮像して撮像画像を取得する撮像部と、前記撮像画像を前記サーバーに送信して前記撮像画像から特定される候補物品の識別情報及び価格統計情報を含む候補物品情報を前記サーバーから取得する候補物品情報取得部と、前記取得した候補物品情報を表示して選択を受け付けることにより前記撮像した物品の識別情報を特定する物品特定部と、前記撮像した物品の販売価格の入力を受け付ける価格入力部と、前記特定された識別情報及び入力された販売価格情報を前記サーバーに送信して前記販売価格情報を前記識別情報に対応する物品の価格統計情報として蓄積させる物品情報送信部とを備える物品情報管理システムを最も主な特徴とする。
【発明の効果】
【０００８】
本発明によれば、価格の変動性が高い物品でも、価格統計情報の正確な収集や蓄積が可能となり、正確な価格統計情報に基づく正確な検索が可能となる。
【図面の簡単な説明】
【０００９】
【図１】本発明の実施例１に係る物品情報管理システムを示すブロック図である。
【図２】実施例１に係る候補物品情報の表示画面の一例である。
【図３】図１の物品情報管理システムによる物品情報管理処理の流れを示すフローチャートである。
【図４】本発明の実施例１の変形例に係る候補物品情報の表示画面の一例である。
【図５】本発明の実施例２に係る物品情報管理システムを示すブロック図である。
【図６】本発明の実施例２に係る候補物品情報の表示画面の一例である。
【発明を実施するための形態】
【００１０】
価格の変動性が高い物品でも、価格情報の正確な収集、蓄積、検索を可能にするという目的を、携帯端末での物品の撮像に応じて物品の価格統計情報をサーバーから取得してユーザーに提供し、価格統計情報の提供を通じて撮像した物品の販売価格をユーザーに入力させてサーバーで価格統計情報として蓄積することにより実現した。
【実施例１】
【００１１】
［物品情報管理システム］
図１は、本発明の実施例１に係る物品情報管理システムを示すブロック図である。
【００１２】
物品情報管理システム１は、携帯端末３及びサーバー５をネットワーク７により通信可能に備える。
【００１３】
携帯端末３は、多機能携帯電話等の携帯型情報処理装置であり、店舗等の販売場所で物品を購入するユーザー毎に所持されるものである。なお、図１では、単一の携帯端末３のみを示すが、実際は、複数のユーザーにそれぞれ所持される複数の携帯端末３を備える。また、実施例１では、物品が生鮮品である場合を例に説明する。
【００１４】
携帯端末３は、ネットワークインターフェース９、撮像部１１、操作パネル１３、記憶部１５、制御部１７等を備える。
【００１５】
ネットワークインターフェース９は、ネットワーク７により、サーバー５を含む外部装置に対する情報の送受信を可能とするデバイスである。
【００１６】
撮像部１１は、ＣＭＯＳカメラやＣＣＤカメラ等を含む撮像デバイスであり、販売場所で販売されている物品を撮像して撮像画像を取得することを可能とする。
【００１７】
操作パネル１３は、タッチパネル式の画面等を含む入出力デバイスであり、携帯端末３に対する操作入力や各種の表示出力等を可能とする。
【００１８】
記憶部１５は、処理に必要な情報やプログラムを記憶するＲＯＭ（Read Only Memory）、作業領域としてのＲＡＭ（Random Access Memory）、補助記憶装置としての不揮発メモリー等を含む記憶装置である。
【００１９】
制御部１７は、ＣＰＵ（central processing unit）等を含み、プログラムを実行して携帯端末３の各部を制御する演算処理装置である。実施例１の制御部１７は、記憶部１５内のプログラムを実行することにより、候補物品情報取得部１９、物品特定部２１、価格入力部２３、物品情報送信部２５として機能する。
【００２０】
候補物品情報取得部１９は、候補物品情報取得機能を実現し、撮像部１１での撮像画像情報を取得し、取得した撮像画像情報をサーバー５に送信する。これに応じ、候補物品情報取得部１９は、サーバー５から返される候補物品の識別情報及び価格統計情報を含む候補物品情報を取得する。
【００２１】
候補物品は、サーバー５での判断によって特定された、撮像した物品と一致する可能性がある物品である。候補物品情報は、サーバー５に蓄積されている物品に関する情報の内、候補物品となった物品の情報である。
【００２２】
候補物品情報の識別情報は、候補物品を識別するための物品名称や品種名等である。候補物品の価格統計情報は、識別情報に関連付けて蓄積された実売価格である。実売価格は、実施例１において実売価格帯であり、蓄積されている実売価格の最安値と最高値とで定義される。また、実売価格には、全実売価格の平均価格が含まれる。
【００２３】
実施例１の候補物品情報には、候補物品の画像情報が含まれる。画像情報は、価格統計情報の収集時にユーザーから送信された撮像画像情報等であり、特に平均価格に対応する撮像画像情報等である。
【００２４】
物品特定部２１は、物品特定機能を実現し、候補物品情報取得部１９で取得した候補物品情報を操作パネル１３上に表示して、候補物品情報の選択を受け付ける。物品特定部２１は、表示した候補物品情報の選択を受け付けることにより、候補物品情報に含まれる識別情報によって撮像部１１で撮像した物品の識別情報を特定する。
【００２５】
図２は、候補物品情報の表示画面の一例を示す。図２では、物品がりんごである場合に、二つの候補物品情報２７ａ及び２７ｂを操作パネル１３上に表示している。
【００２６】
各候補物品情報は、矩形枠によって区画されて選択可能となっており、枠２９内に候補順位３１、候補物品の画像３３、候補物品の品種３５、実売価格帯３７、平均価格３９が表示されている。何れかの候補物品情報が操作パネル１３上で選択されると、その識別情報である品種３５によって撮像した物品が特定されることになる。
【００２７】
価格入力部２３は、価格入力機能を実現し、撮像部１１で撮像した物品の販売価格の入力を操作パネル１３上で受け付ける。図２の例では、候補物品情報２７ａ及び２７ｂの下方に表示された金額入力欄４１で販売価格の入力を受け付ける。
【００２８】
物品情報送信部２５は、物品情報送信機能を実現し、撮像された物品に対して特定された識別情報及び入力された販売価格情報をサーバー５に送信する。サーバー５への送信は、識別情報の特定及び販売価格の入力の完了をトリガーに実行される。図２の例では、金額入力欄４１に隣接したチェックインボタン４３の選択をトリガーにして、撮像された物品の識別情報及び販売価格情報がサーバー５に送信される。
【００２９】
これにより、物品情報送信部２５は、サーバー５に物品の販売価格情報を識別情報に対応する物品の価格統計情報として蓄積させることができる。なお、物品情報送信部２５は、ＧＰＳ等によって取得した携帯端末３の位置情報を販売価格情報等と共にサーバー５に送信してもよい。この場合は、サーバー５で地域ごとの価格統計情を蓄積することが可能となる。
【００３０】
サーバー５は、情報処理装置であり、記憶部４５及び制御部４７を備える。
【００３１】
記憶部４５は、ＲＯＭ、ＲＡＭ、不揮発メモリー等を含む記憶装置である。記憶部４５には、物品の価格統計情報のデータベース４５ａが構築されており、データベース４５ａに物品の識別情報に関連付けて価格統計情報及び画像情報が記憶されている。
【００３２】
制御部４７は、ＣＰＵ等を含む演算処理装置である。実施例１の制御部４７は、記憶部４５内のプログラムを実行することにより、候補物品情報送信部４９、情報蓄積部５１として機能する。
【００３３】
候補物品情報送信部４９は、候補物品情報送信機能を実現し、携帯端末３から送信された物品の撮像画像情報に基づいてデータベース４５ａから候補物品を特定し、特定した候補物品の候補物品情報をデータベース４５ａから取得して携帯端末３に返す。
【００３４】
候補物品の特定では、ヒストグラムインターセクション等の類似画像検索技術を用い、受信した撮像画像情報とサーバー５のデータベース４５ａに記憶されている物品の画像情報との類似度が相対的に高い一つ以上の物品が特定される。
【００３５】
情報蓄積部５１は、情報蓄積機能を実現し、携帯端末３から送信された物品の識別情報及び販売価格情報に対し、識別情報から検索される物品の価格統計情報として販売価格情報をデータベース４５ａに記憶して蓄積させる。
【００３６】
［物品情報管理処理及び方法］
以下、物品情報管理方法について、物品情報管理システム１による物品情報管理処理として説明する。図３は、図１の物品情報管理システム１による物品情報管理処理の流れを示すフローチャートである。
【００３７】
物品情報管理処理は、携帯端末３でプログラムを実行することによってアプリケーションを立ち上げることで開始される。
【００３８】
ステップＳ１では、「物品の撮像」が実行される。すなわち、ユーザーは、携帯端末３を操作して、撮像部１１により価格情報を取得したい物品を撮像する。これに応じ、携帯端末３の撮像部１１は、撮像画像情報を生成する。
【００３９】
次いで、ステップＳ２では、「撮像画像情報のサーバーへの送信」が実行される。すなわち、携帯端末３の候補物品情報取得部１９は、撮像部１１での撮像画像情報をサーバー５に送信する。これにより、ステップＳ２が完了し、ステップＳ３へ移行する。
【００４０】
ステップＳ３では、「候補物品の検索」が実行される。すなわち、サーバー５では、ステップＳ２で携帯端末３から送信された撮像画像情報に基づいて、候補物品情報送信部４９が記憶部４５のデータベース４５ａから類似画像検索によって候補物品を検索して特定する。
【００４１】
次いで、ステップＳ４では、「候補物品情報の携帯端末への送信」が実行される。すなわち、サーバー５の候補物品情報送信部４９は、ステップＳ３で特定した候補物品の候補物品情報をデータベース４５ａから取得して携帯端末３に送信する。これにより、ステップＳ４が完了し、ステップＳ５へ移行する。
【００４２】
ステップＳ５では、「商品の識別情報及び販売価格の入力」が実行される。すなわち、携帯端末３の物品特定部２１は、ステップＳ４でサーバー５から送信された候補物品情報を受信し、これに応じて操作パネル１３上に図２のような候補物品情報の表示画面を表示する。
【００４３】
これにより、携帯端末３では、物品特定部２１が表示された候補物品情報の選択による物品の識別情報の入力を受け付け、価格入力部２３が販売価格の入力を受け付ける。物品の識別情報及び販売価格の入力を受け付けた後は、ステップＳ６へ移行する。
【００４４】
ステップＳ６では、「商品の識別情報及び販売価格の入力が完了したか？」の判断が実行される。すなわち、携帯端末３の物品情報送信部２５は、商品の識別情報及び販売価格の入力が完了したか否かを、例えば図２のチェックインボタン４３の選択の有無により判断する。
【００４５】
商品の識別情報及び販売価格の入力が完了した場合は、ステップＳ７へ移行し（ＹＥＳ）、そうでない場合は、ステップＳ６の判断を繰り返す（ＮＯ）。
【００４６】
ステップＳ７では、「商品の識別情報及び販売価格のサーバーへの送信」が実行される。すなわち、携帯端末３の物品情報送信部２５は、入力が完了した物品の識別情報及び販売価格情報をサーバー５に送信する。これにより、ステップＳ７が完了してステップＳ８へ移行する。
【００４７】
ステップＳ８では、「商品の識別情報及び販売価格の蓄積」が実行される。すなわち、サーバー５の情報蓄積部５１は、ステップＳ７で携帯端末３から送信された物品の識別情報及び販売価格情報を受信し、識別情報をキーに対応する物品の情報を記憶部４５のデータベース４５ａから検索する。そして、情報蓄積部５１は、販売価格情報を検索された物品の価格統計情報として蓄積することでデータベース４５ａを更新する。
【００４８】
［実施例１の効果]
以上説明したように、実施例１の物品情報管理システム１は、販売場所で販売されている物品を購入するユーザーが所持する携帯端末３と、物品の情報を管理するサーバー５とを備える。
【００４９】
そして、携帯端末３は、販売されている物品を撮像して撮像画像を取得する撮像部１１と、撮像画像をサーバー５に送信して撮像画像から特定される候補物品の識別情報及び価格統計情報を含む候補物品情報をサーバー５から取得する候補物品情報取得部１９と、取得した候補物品情報を表示して選択を受け付けることにより撮像した物品の識別情報を特定する物品特定部２１と、撮像した物品の販売価格の入力を受け付ける価格入力部２３と、特定された識別情報及び入力された販売価格情報をサーバー５に送信して販売価格情報を識別情報に対応する物品の価格統計情報として蓄積させる物品情報送信部２５とを備える。
【００５０】
従って、実施例１では、携帯端末３での物品の撮像に応じて物品の価格統計情報をサーバー５から取得してユーザーに提供することができ、価格統計情報の提供を通じて撮像した物品の販売価格をユーザーに入力させて、サーバー５で価格統計情報として蓄積することができる。
【００５１】
特に、実施例１では、価格の変動が高い生鮮品を物品としているから、複数のユーザーに対して価格の変動を確認するために頻繁に利用させることができ、結果として、物品の価格統計情報をユーザーに頻繁に提供し、その度に販売価格情報の正確な収集及び蓄積が可能となる。しかも、実施例１では、販売価格の正確な収集及び蓄積によって正確な価格統計情報を検索してユーザーに提供することができ、ユーザーの利用を促して更に販売価格の正確な収集及び蓄積が可能となる。
【００５２】
このように、実施例１では、価格の変動性が高い生鮮品等の物品でも、価格統計情報の正確な収集や蓄積ができ、正確な価格統計情報に基づく正確な検索が可能となる。
【００５３】
物品情報管理プログラムは、物品情報管理システム１の携帯端末３やサーバー５を上記各部として機能させることができ、物品情報管理システム１と同様の作用効果を奏することができる。
【００５４】
物品情報管理方法では、携帯端末３を撮像手段、高物品情報取得手段、物品特定手段、価格入力手段、物品情報送信手段として用いることで、物品情報管理システム１と同様の作用効果を奏することができる。
【００５５】
［変形例］
図４は、本発明の実施例１の変形例に係る候補物品情報の表示画面の一例である。図４のように、携帯端末３の物品特定部２１が候補物品情報２７ａを操作パネル１３上に表示して候補物品情報２７ａの選択を受け付ける際には、候補物品の画像３３に並べて撮像画像５３を表示してもよい。
【００５６】
候補物品の画像３３は、例えば平均価格に対応するものであるため、ユーザーは、撮像画像５３と候補物品の画像３３との色味を比較することにより、平均価格の物品に対する鮮度の良否やこれに基づく割高、割安の判断等が可能となる。
【００５７】
このとき、撮像画像５３と候補物品の画像３３とが同一の操作パネル１３上に表示されるため、物品を肉眼で観察する場合と比較して正確な判断が可能となる。
【実施例２】
【００５８】
図５は、本発明の実施例２に係る物品情報管理システムを示すブロック図である。なお、実施例２では、基本構成が実施例１と共通するため、対応する構成部分に同符号を付して重複した説明を省略する。
【００５９】
実施例２の物品情報管理システム１は、撮像画像から推測される適正価格を表示可能としたものである。このため、実施例２の物品情報管理システム１では、携帯端末３の制御部１７が適正価格推測部５５及び適正価格表示部５７としても機能する。
【００６０】
適正価格推測部５５は、適正価格推測機能を実現し、撮像部１１での撮像画像とサーバー５からの候補物品の画像情報とから色の近似を判断し、色の近似レベルに応じて撮像した物品の適正価格を推測する。
【００６１】
すなわち、りんご等の生鮮品の場合は、色によって鮮度が異なり、価格も異なる。このため、実施例２では、色によって生鮮品の鮮度を判断し、鮮度に応じた適正価格を推測する。なお、適正価格推測部５５は、サーバー５側に備えてもよい。色の近似レベルの判断は、ヒストグラムインターセクション等によって実現可能である。
【００６２】
適正価格表示部５７は、適正価格表示機能を実現し、適正価格推測部５５で推測された適正価格を操作パネル１３上に表示する。
【００６３】
図６は、本発明の実施例２に係る候補物品情報の表示画面の一例であり、適正価格を併せて表示している。図６のように、携帯端末３の物品特定部２１が候補物品情報２７ａを操作パネル１３上に表示して候補物品情報２７ａの選択を受け付ける際には、候補物品の画像３３に並べて適正価格５９が表示される。図６の例では、物品の価格帯ゲージ５９ａを表示し、価格帯ゲージ５９ａ中の位置をポインター５９ｂによって適正価格として示している。
【００６４】
従って、実施例２の物品情報管理システム１は、物品の価格統計情報をサーバー５から取得してユーザーに提供する際に、ユーザーに撮像した物品の適正価格を示すことができ、ユーザーに物品を購入するための判断基準を提供することができる。
【００６５】
なお、適正価格推測部５５は、物品のサイズを考慮して適正価格を推測することも可能である。例えば、携帯端末３は、撮像部１１で物品を撮像した際に、操作パネル１３上で物品のサイズの入力を受け付ける。受け付けたサイズ情報は、適正価格推測部５５で適正価格を推測するために利用することができる。この場合は、物品の色味に加えてサイズをも比較して、より正確な適正価格の推測が可能となる。
【符号の説明】
【００６６】
１  物品情報管理システム
３  携帯端末
５  サーバー
１９  候補物品情報取得部
２１  物品特定部
２３  価格入力部
２５  物品情報送信部
５５  適正価格推測部
５７  適正価格表示部
【図１】
2016224591.tif 000003
【図３】
2016224591.tif 000004
【図５】
2016224591.tif 000005
【図２】
2016224591.tif 000006
【図４】
2016224591.tif 000007
【図６】
2016224591.tif 000008